(57)【特許請求の範囲】
【請求項１】
上ガイド部材、下ガイド部材と、この上ガイド部材と下ガイド部材に沿って展開位置と折畳み位置に移動可能な操作部材と、伸縮自在なスクリーン部材と、前記展開位置の操作部材よりも展開方向側に設けたワイヤー固定部品と、前記スクリーン部材と操作部材を挿通して前記ワイヤー固定部品に固定したワイヤーを備え、
前記ワイヤー固定部品は、前記操作部材に設けた被保持部材とにより操作部材を展開位置に保持する保持部材と、ワイヤーの張力調整可能なワイヤー固定機構を有し、
前記上ガイド部材は下面に開口した溝を長手方向に連続して有し、
前記下ガイド部材は上面に開口した溝を長手方向に連続して有し、
前記上ガイド部材の展開側端部と連続して上のワイヤー固定部品を設けると共に、下ガイド部材の展開側端部と連続して下のワイヤー固定部品を設け、
前記上のワイヤー固定部品のワイヤー固定部と操作部材の上方の展開側ワイヤー出口をほぼ同一高さとすると共に、その間のワイヤー部分を前記上ガイド部材の溝の開口部に沿って張設し、
前記下のワイヤー固定部品のワイヤー固定部と操作部材の下方の展開側ワイヤー出口をほぼ同一高さとすると共に、その間のワイヤー部分を前記下ガイド部材の溝の開口部に沿って張設したことを特徴とする折畳みスクリーン装置。
【請求項２】
前記ワイヤー固定部品に、ワイヤー長手方向に沿った長孔を設け、このワイヤー固定部品の裏面側の展開方向寄りに、ワイヤー固定部を有した可動部材をワイヤー長手方向に移動自在に設け、このワイヤー固定部品の表面側からねじを前記長孔を通して前記可動部材に螺合してワイヤー固定機構とし、
前記ワイヤー固定部品の表面側の折畳み方向寄りに、前記保持部材を設けた請求項１記載の折畳みスクリーン装置。
【請求項３】
枠体に、開閉体と、請求項１又は２記載の折畳みスクリーン装置を取り付けたことを特徴とする折畳みスクリーン装置を備えた建具。
【請求項４】
前記折畳みスクリーン装置の上ガイド部材、上のワイヤー固定部品を枠体の上枠の下向き凹部に取り付け、前記折畳みスクリーン装置の下ガイド部材、下のワイヤー固定部品を、枠体の下枠の上向き凹部に取り付け、
前記下向き凹部、上向き凹部の上ガイド部材、下ガイド部材が設けていない部分に、枠カバーをそれぞれ取り付けて各凹部を閉塞すると共に、上下のワイヤー固定部品を覆うようにし、
この各枠カバーに、ワイヤー固定機構のワイヤー張力を調整するための孔を形成した請求項３記載の折畳みスクリーン装置を備えた建具。
【発明の詳細な説明】
【技術分野】
【０００１】
本発明は、網戸、カーテン、ブラインド、間仕切り等として用いる折畳みスクリーン装置及び、その折畳みスクリーン装置を枠体に取り付けした折畳みスクリーンを備えた建具に関する。
【背景技術】
【０００２】
従来、スクリーン部材を折畳み状態と展開状態に伸縮自在とし、網戸、カーテン、ブラインド、間仕切り等として用いる折畳みスクリーン装置が種々提案されている。
例えば、特許文献１に開示したように、スクリーン部材にワイヤーを挿通し、そのワイヤーの一端部を固定すると共に、そのワイヤーの他端部をスライドバーを通して固定することで、ワイヤーをスクリーン部材、スライドバーを通して張設し、そのスライドバーを一方向に移動して展開位置とすることでスクリーン部材が伸びて展開状態とし、他方向に移動して折畳み位置とすることでスクリーン部材が縮んで折畳み状態とする折畳みスクリーン装置が提案されている。
【０００３】
前述したような折畳みスクリーン装置においては、スライドバーが展開位置のときに、スクリーン部材の折畳み方向への復元力やスクリーン部材に加わる風圧などにより動くことがある。
また、ワイヤーの張力が弱い場合にはスクリーン部材がたわむことがあり、張力が強すぎる場合にはスクリーン部材がスムーズに伸縮しないことがある。
そこで本出願人は、特許文献２に記載されたロール網戸のように、スライドバー（可動框）を戸当り枠に設けた磁石で展開位置に保持し、特許文献３に記載された網戸装置のように、ワイヤーの一端部を調整装置に連結して張力を調整できるようにすることを試みた。
【先行技術文献】
【特許文献】
【０００４】
【特許文献１】特許第２７４９４７３号公報
【特許文献２】特開２００７−３２１９９号公報
【特許文献３】特許第３２２２９１７号公報
【発明の概要】
【発明が解決しようとする課題】
【０００５】
前述したようにすることで、スライドバーを展開位置で動かないように保持できると共に、ワイヤーの張力を適正な強さにできる折畳みスクリーン装置とすることができるが、磁石と調整装置を別々の位置に取り付けしなければならず、その取り付けに時間がかかり取付コストが高いと共に、部品点数が多く製作コストが高くなる。
特に、部品を金型を用いて製作する場合には、その金型のコストが高くなる。
【０００６】
本発明の目的は、スライドバーのようなスクリーン部材を伸縮するための操作部材を展開位置で動かないように保持することができると共に、ワイヤーの張力を調整でき、しかも簡単に取り付けできて取付コストが安く、製作コストも安くできるようにした折畳みスクリーン装置、及びその折畳みスクリーン装置を備えた建具とすることである。
【課題を解決するための手段】
【０００７】
本発明の折畳みスクリーン装置は、上ガイド部材、下ガイド部材と、この上ガイド部材と下ガイド部材に沿って展開位置と折畳み位置に移動可能な操作部材と、伸縮自在なスクリーン部材と、前記展開位置の操作部材よりも展開方向側に設けたワイヤー固定部品と、前記スクリーン部材と操作部材を挿通して前記ワイヤー固定部品に固定したワイヤーを備え、
前記ワイヤー固定部品は、前記操作部材に設けた被保持部材とにより操作部材を展開位置に保持する保持部材と、ワイヤーの張力調整可能なワイヤー固定機構を有し、
前記上ガイド部材は下面に開口した溝を長手方向に連続して有し、
前記下ガイド部材は上面に開口した溝を長手方向に連続して有し、
前記上ガイド部材の展開側端部と連続して上のワイヤー固定部品を設けると共に、下ガイド部材の展開側端部と連続して下のワイヤー固定部品を設け、
前記上のワイヤー固定部品のワイヤー固定部と操作部材の上方の展開側ワイヤー出口をほぼ同一高さとすると共に、その間のワイヤー部分を前記上ガイド部材の溝の開口部に沿って張設し、
前記下のワイヤー固定部品のワイヤー固定部と操作部材の下方の展開側ワイヤー出口をほぼ同一高さとすると共に、その間のワイヤー部分を前記下ガイド部材の溝の開口部に沿って張設したことを特徴とする折畳みスクリーン装置である。
【０００９】
本発明の折畳みスクリーン装置においては、前記ワイヤー固定部品にワイヤー長手方向に沿った長孔を設け、このワイヤー固定部品の裏面側の展開方向寄りに、ワイヤー固定部を有した可動部材をワイヤー長手方向に移動自在に設け、このワイヤー固定部品の表面側からねじを前記長孔を通して前記可動部材に螺合してワイヤー固定機構とし、
前記ワイヤー固定部品の表面側の折畳み方向寄りに、前記保持部材を設けた折畳みスクリーン装置とすることができる。
このようにすれば、ワイヤー固定部品の表面側から工具を用いてねじを弛め、締め付けることで可動部材を移動してワイヤーの張力を調整でき、その操作が容易である。
また、ワイヤー固定部がワイヤー固定部品の裏面側で、保持部材が表面側であるから、保持部材と被保持部材で操作部材を保持する際にワイヤーが邪魔にならない。
【００１０】
本発明の建具は、枠体に、開閉体と、折畳みスクリーン装置を取り付けたことを特徴とする折畳みスクリーン装置を備えた建具である。
【００１１】
本発明の建具においては、前記折畳みスクリーン装置の上ガイド部材、上のワイヤー固定部品を枠体の上枠の下向き凹部に取り付け、前記折畳みスクリーン装置の下ガイド部材、下のワイヤー固定部品を、枠体の下枠の上向き凹部に取り付け、
前記下向き凹部、上向き凹部の上ガイド部材、下ガイド部材が設けていない部分に、枠カバーをそれぞれ取り付けて各凹部を閉塞すると共に、上下のワイヤー固定部品を覆うようにし、
この各枠カバーに、ワイヤー固定機構のワイヤー張力を調整するための孔を形成した折畳みスクリーン装置を備えた建具とすることができる。
このようにすれば、上ガイド部材、上のワイヤー固定部品を上枠でしっかりと支持し、下ガイド部材、下のワイヤー固定部品を下枠でしっかりと支持できるから、枠体に折畳みスクリーン装置をしっかりと取り付けできる。
しかも、上枠の下向き凹部、下枠の上向き凹部における操作部材が移動しない部分が枠カバーで覆われると共に、上下のワイヤー固定部品を覆うことができるから、見栄えが良い。
さらに、枠カバーの孔からワイヤーの張力を調整できるので、枠カバーを外すことがなくワイヤーの張力を調整できる。
【発明の効果】
【００１２】
本発明の折畳みスクリーン装置によれば、ワイヤー固定部品に設けた保持部材と操作部材に設けた被保持部材とで操作部材を展開位置に保持できると共に、ワイヤー固定部品に設けたワイヤー固定機構でワイヤーの張力を調整できる。
しかも、ワイヤー固定部品を設けるだけで良いから、その取り付けが容易で、取付コストが安く、部品点数が少なく製作コストが安い。
操作部材の展開側ワイヤー出口とワイヤー固定部品のワイヤー固定部との間に張設したワイヤー部分が略水平となるので、操作部材をスムーズに移動できる。
前述のワイヤー部分は上下ガイド部材の開口部から溝内に入り込むので、そのワイヤー部分が上下ガイド部材と干渉することがない。
【図面の簡単な説明】
【００１３】
【図１】本発明の実施の形態を示す建具の内観図である。
【図２】図１の横断面図である。
【図３】図１のスクリーン部材を折畳み状態とした横断面図である。
【図４】折畳みスクリーン装置の正面図である。
【図５】折畳みスクリーン装置の拡大縦断面図である。
【図６】折畳みスクリーン装置を枠体に取り付けた状態の図４のＡ−Ａ拡大断面図である。
【図７】折畳みスクリーン装置を枠体に取り付けた状態の図４のＢ−Ｂ拡大断面図である。
【図８】折畳みスクリーン装置を枠体に取り付けた状態の図４のＣ−Ｃ拡大断面図である。
【図９】枠カバー取付部の断面図である。
【発明を実施するための形態】
【００１４】
図１〜図４に示すように、枠体１に開閉体２を開閉方向に移動自在に取り付けて建具としてある。
前記枠体１に折畳みスクリーン装置３を取り付けて折畳みスクリーン装置を備えた建具としてある。
前記枠体１は、上枠１０と下枠１１と一方の縦枠１２と他方の縦枠１３で方形枠形状で、その上枠１０、下枠１１の他方の縦枠１３寄りで、見込み方向一側寄りに亘って召合せ縦骨１４を取り付け、その召合せ縦骨１４と他方の縦枠１３に亘って戸袋パネル１５を取り付けて戸袋１６としてある。
【００１５】
前記開閉体２は、枠体１の見込み方向他側寄りに上枠１０、下枠１１の長手方向（つまり、面内方向）に移動自在で、図２に示すように開閉体２の戸先側（一方の縦框２０）が一方の縦枠１２と離れ、開口部２１を形成する開き位置と、図３に示すように、開閉体２の戸先側（一方の縦框２０）が一方の縦枠１２に接して開口部２１がないようにする閉じ位置に移動する。これによって、外動片引き窓としてある。
【００１６】
前記折畳みスクリーン装置３は、上ガイド部材３０、下ガイド部材３１、折畳み側の縦部材３２、操作部材３３、スクリーン部材３４などを備え、その操作部材３３が上ガイド部材３０と下ガイド部材３１に沿って折畳み位置と展開位置とに亘って移動自在である。
前記スクリーン部材３４は、ほぼ波形状に折曲されて伸縮自在で、その一端部が縦部材３２に連結され、他端部が操作部材３３に連結されている。
前記スクリーン部材３４にはワイヤー３５が挿通してある。このワイヤー３５の一端部が前記縦部材３２に連結され、他端部は操作部材３３を通してワイヤー固定部品４に連結してある。
このワイヤー固定部品４は、展開位置の操作部材３３よりも展開方向側、つまり縦部材３２と反対側に設けてある。
【００１７】
前記上ガイド部材３０は上枠１０の見込み方向一側寄りで一方の縦枠１２寄りに取り付けてある。前記下ガイド部材３１は下枠１１の見込み方向一側寄りで一方の縦枠１２寄りに取り付けてある。
前記縦部材３２は一方の縦枠１２の見込み方向一側寄りに取り付けてある。
【００１８】
これによって、折畳みスクリーン装置３は、枠体１の見込み方向一側寄りで、一方の縦枠１２寄りに取り付けてある。
前記ワイヤー固定部品４は、上枠１０、下枠１１の見込み方向一側寄りにそれぞれ設けてある。
【００１９】
このようであるから、前記操作部材３３を図１、図２に示す展開位置とすることで、スクリーン部材３４が伸びて展開状態となり、前述の開口部２１の見込み方向一側方を閉塞する。
前記操作部材３３を図３に示す折畳み位置とすることで、スクリーン部材３４が縮んで折畳み状態となり、前述の開口部２１を開放する。
このようであるから、スクリーン部材３４を防虫網とし、開閉体２を開き位置とした状態で、スクリーン部材３４を展開状態とすることで、開口部２１から虫が侵入することを防止できる。
【００２０】
前記上ガイド部材３０は図６に示すように、上枠１０の見込み方向一側に形成した下向き凹部１０ａ内に取り付けてある。
前記下ガイド部材３１は図６に示すように、下枠１１の見込み方向一側に形成した上向き凹部１１ａ内に取り付けてある。
これによって、上下ガイド部材３０，３１は見込み方向一側から枠体１を見たときに見えない。
前記操作部材３３が折畳み位置のときには図３に示すように、一方の縦枠１２の見込み方向一側端部に設けた内向片１２ａで隠蔽されて見込み方向一側から見えない。
前記各ワイヤー固定部品４は、上枠１０の下向き凹部１０ａ、下枠１１の上向き凹部１１ａ内にそれぞれ取り付けてあるので、枠体１を見込み方向一側から見たときに各ワイヤー固定部品４は見えない。
【００２１】
このようであるから、操作部材３３を折畳み位置としてスクリーン部材３４を折畳み状態としたときには、折畳みスクリーン装置３が枠体１内に収容されて見込み方向一側から全く見えないので、建具としての見栄えが良い。
【００２２】
前記上枠１０の下向き凹部１０ａ、下枠１１の上向き凹部１１ａの開口縁における展開位置の操作部材３３と召合せ縦骨１４との間の部分、つまり、上下ガイド部材３０，３１が設けておらずに操作部材３３が移動しない部分には枠カバー５がそれぞれ取り付けてある。
この枠カバー５で前述の下向き凹部１０ａ、上向き凹部１１ａの前述の部分を閉塞すると共に、ワイヤー固定部品４を覆って見えないようにしてあるので、見栄えが良い。
【００２３】
次に、前記折畳みスクリーン装置３を詳細に説明する。
図４と図５に示すように、前記ワイヤー３５はスクリーン部材３４の上部寄りと下部寄りに設けてある。
前記上部寄りに設けたワイヤー３５の他端部は、操作部材３３内を通して下枠１１に取り付けた下のワイヤー固定部品４のワイヤー固定機構６で固定されている。
前記下部寄りに設けたワイヤー３５の他端部は、操作部材３３内に通して上枠１０に取り付けした上のワイヤー固定部品４のワイヤー固定機構６で固定される。
【００２４】
前記ワイヤー固定機構６はワイヤー３５の張力を調整できる構成で、ワイヤー固定部品４はワイヤー張力調整機能を有する。
例えば、前記ワイヤー固定機構６は、ワイヤー３５の他端部をワイヤー固定部品４に固定するワイヤー固定位置を、ワイヤー長手方向に移動できる構成で、そのワイヤー固定位置を操作部材３３に接近する方向に移動することでワイヤー３５の張力が弱くなり、操作部材３３と離れる方向に移動することでワイヤー３５の張力が強くなる。
【００２５】
前記ワイヤー固定部品４には保持部材７が設けてあり、この保持部材７が操作部材３３に設けた被保持部材８を保持することで、操作部材３３を展開位置に保持することができ、ワイヤー固定部品４は操作部材保持機能を有する。
【００２６】
このようであるから、操作部材３３が展開位置で動かないように保持できると共に、ワイヤー３５の張力を調整することができ、しかもワイヤー固定部品４を取り付けるだけで良いので、取付け作業が簡単で取付コストが安く、部品点数が少なく製作コストが安い。
【００２７】
前記上ガイド部材３０、下ガイド部材３１は、板状の取付部３０ａ，３１ａの表面における見込み方向中間にガイド突部３０ｂ，３１ｂを有し、そのガイド突部３０ｂ，３１ｂは表面（上ガイド部材３０の下面、下ガイド部材３１の上面）に開口したあり溝形状の溝３０ｃ，３１ｃを長手方向に連続して有する。
そして、前記上ガイド３０の取付部３０ａを図６に示すように上枠１０の下向き凹部１０ａの底面にクッション材３０ｄを介して接し、固着具で固着して取り付けてある。
前記下ガイド３１の取付部３１ａを図６に示すように下枠１１の上向き凹部１１ａの底面に接し、固着具で固着して取り付けてある。
【００２８】
図６に示すように、前記操作部材３３の上部３３ａが上ガイド部材３０のガイド突部３０ｂにスライド自在に嵌まり合うと共に、上枠１０の下向き凹部１０ａにスライド自在に嵌まり合っている。
前記操作部材３３の下部３３ｂが下ガイド部材３１のガイド突部３１ｂにスライド自在に嵌まり合うと共に、下枠１１の上向き凹部１１ａにスライド自在に嵌まり合っている。
これによって、操作部材３３は展開位置と折畳み位置に亘ってスムーズに移動する。
【００２９】
前記上ガイド部材３０、下ガイド部材３１の長手方向の展開側の端部は、展開位置の操作部材３３の展開側の側面３３ｃとほぼ同一位置である。
前記ワイヤー固定部品４は上・下ガイド部材３０，３１の展開側端部と連続して設けてあり、このワイヤー固定部品４は上枠１０の下向き凹部１０ａ、下枠１１の上向き凹部１１ａから突出しないように設けてある。
【００３０】
前記操作部材３３にはワイヤー挿通経路３３ｄが形成され、このワイヤー挿通経路３３ｄの展開側ワイヤー出口（スクリーン部材３４と反対側の出口）３３ｅは、上端部寄りと下端部寄りで、前述の上枠１０の下向き凹部１０ａ、下枠１１の上向き凹部１１ａ内に位置している。
前記上下のワイヤー固定部品４のワイヤー固定機構６のワイヤー固定部６ａは、前記上方、下方の展開側ワイヤー出口３３ｅとそれぞれほぼ同一高さである。
前記ワイヤー３５における前記展開側ワイヤー出口３３ｅとワイヤー固定部６ａとの間のワイヤー部分３５ａは、ほぼ水平であると共に、上下ガイド部材３０，３１の溝３０ｃ，３１ｄの開口部に沿って張設してある。
【００３１】
このようであるから、ワイヤー３５の前述したワイヤー部分３５ａがほぼ水平であることによって操作部材３３がスムーズに移動することができる。
しかも、ワイヤー３５のワイヤー部分３５ａは開口部から溝３０ｃ，３１ｃ内に入り込むので、そのワイヤー部分３５ａが上下ガイド部材３０，３１と干渉することがない。
【００３２】
前記ワイヤー固定部品４のワイヤー固定機構６は、ワイヤー固定部６ａを有した可動部材６０をワイヤー長手方向に沿った長穴６１を挿通したねじ６２で固定する構成である。
前記ねじ６２はワイヤー固定部品４の表面（上のワイヤー固定部品４の下面、下のワイヤー固定部品４の上面）から工具によって締め付け、弛めできるので、ワイヤー３５の張力を簡単に調整できる。
前記可動部材６０のワイヤー固定部６ａはワイヤー固定部品４の裏面側（上のワイヤー固定部品４の上面側、下のワイヤー固定部品４の下面側）の展開方向寄りであるので、ワイヤー固定部品４の表面側の折畳み方向寄りに保持部材７を設けるスペースを確保できる。
【００３３】
前述のように、ワイヤー固定部６ａをワイヤー固定部品４の裏面側とすることで、前述の展開側ワイヤー出口３３ｅとワイヤー固定部６ａに張設したワイヤー部分３５ａが上下ガイド部材３０，３１に接近して干渉する恐れがあるので、前述のように、ワイヤー部分３５ａを溝３０ｃ，３１ｃの開口部に沿って張設し、その開口部から溝３０ｃ，３１ｃ内に入り込むようにすることが効果的である。
【００３４】
また、ワイヤー固定部６ａがワイヤー固定部品４の裏面側で、保持部材７がワイヤー固定部品４の表面側であるから、ワイヤー３５の前述のワイヤー部分３５ａは保持部材７よりも裏面側（上のワイヤー固定部品４の場合には上側、下のワイヤー固定部品の場合には下側）となるので、その保持部材７と被保持部材８で操作部材３３を展開位置に保持するときにワイヤー３５が邪魔にならない。
【００３５】
前記ワイヤー固定部品４の保持部材７は磁石７ａで、前記操作部材３３の被保持部材８は金属プレート８ａである。
前記磁石７ａはワイヤー固定部品４に、その折畳み方向の端面４ａより若干突出して設けられ、操作部材３３の金属プレート８ａを吸着すると磁石７ａが移動して金属プレート８ａがワイヤー固定部品４の端面４ａに接するようにしてある。
これによって、操作部材３３を確実に保持して展開位置で確実に保持することができる。
【００３６】
前記ワイヤー固定部品４の端面４ａには突起４０が設けてあり、この突起４０を前記上下ガイド部材３０，３１の溝３０ｃ，３１ｃに嵌合することで、その端面４ａが上下ガイド部材３０，３１の端面に当接するように取り付けできる。
また、前記ワイヤー固定部品４の端面４ａ部分には前記ワイヤー３５が挿通する切欠部４１が形成してある。
【００３７】
前記ワイヤー固定部品４は、端面板４２と本体４３を備え、その端面板４２は本体４３の表面、見込み方向両側面よりも張り出している。
前記本体４３には表面に開口した展開方向寄りの第１凹部４４と折畳み方向寄りの第２凹部４５と裏面に開口した第３凹部４６を有している。前記第１凹部４４と第３凹部４６を区画する底面板４７に前記長孔６１が形成され、前記第３凹部４６に前述の可動部材６０が底面板４７の裏面に沿って移動自在に設け、第１凹部４４からねじ６２を長孔６１を挿通して可動部材６０に螺合してある。
【００３８】
前記端面板４２には第２凹部４５に開口した孔４８が形成され、この孔４８から磁石７ａを第２凹部４５に挿入し、その磁石７ａの先端部を端面板４２から若干突出している。
前記端面板４２の裏面側に一対の突起４０が設けてあり、この一対の突起４０間に前述の切欠部４１が形成されている。
【００３９】
前述のワイヤー固定機構６は前述した構成に限ることはなく、ワイヤー固定位置をワイヤー長手方向に移動できる構成であれば良い。
また、ワイヤー固定機構６はワイヤー３５の端部を巻き取り、繰り出し可能な構成としてワイヤーの張力を調整できるようにしても良い。
例えば、ワイヤー固定部品４に回転子を回転及び固定自在に設け、その回転子にワイヤー３５の端部を巻きつける。
そして、回転子を回転してワイヤー３５を巻き込むことで張力が強くなり、回転子を反対に回転してワイヤー３５を繰り出すことで張力が弱くなる。
【００４０】
前記ワイヤー固定部品４に設けた保持部材７を金属プレートとし、操作部材３３に設けた被保持部材８を磁石としても良いし、保持部材７と被保持部材８を磁石としても良い。
また、保持部材７と被保持部材８を、相互に係合、離脱する係合子と係合孔としても良い。
【００４１】
前記縦部材３２は図８に示すように、一方の縦枠１２の見込み方向一側寄りに固着した取付けアタッチメント１７に、固着具１８で固着して取り付けてある。
前記ワイヤー固定部品４は図７、図８に示すように、上枠１０の下向き凹部１０ａ、下枠１１の上向き凹部１１ａ内に取り付けられ、その端面板４２が各凹部１０ａ，１１ａの見込み方向一側の開口縁１０ｂ，１１ｂと面一で、本体４３の表面は前述の開口縁１０ｂ，１１ｂよりも裏面寄りで、各凹部１０ａ，１１ａ内に没している。
【００４２】
前記枠カバー５は、図９に示すように表面板５０と一側取付片５１と他側取付片５２で断面略コ字形状の長尺材で、その一側取付片５１と他側取付片５２を上枠１０の下向き凹部１０ａ、下枠１１の上向き凹部１１ａの一側立上り片５３、他側立上り片５４に係合して取り付けてある。
前記枠カバー５の表面板５０には、ワイヤー固定機構のワイヤーの張力を調整するための孔、例えば図２、図３に示すように、前記ワイヤー固定部品４の長孔６１と対向した長孔５５が形成され、この長孔５５から工具を挿入してねじ６２を締め付け、弛め操作できる。
【００４３】
前記枠カバー５の表面板５０の折畳み側の端面５０ａは図２、図３に示すようにワイヤー固定部品４の端面板４２に当接し、枠カバー５の小口を隠している。
つまり、ワイヤー固定部品４は枠カバー５の小口を隠す部分を有する。
【００４４】
前述の実施の形態では、ワイヤー３５を２本としたが、これに限ることはなく１本でも良いし、３本以上でも良く、スクリーン部材３４の上下寸法に応じた本数とする。
前述の実施の形態では建具を外動片開き窓としたが、これに限ることはなく、任意の建具にも折畳みスクリーン装置３を取り付けることができる。
【００４５】
前述の実施の形態では、上下ガイド部材３０，３１を枠体１の上枠１０、下枠１１に取り付け、縦部材３２を枠体１の縦枠１２に取り付けしたが、これは、折畳みスクリーン装置を備えた建具とするためであって、折畳みスクリーン装置単体とするのであれば、上枠材の下向き凹部に上ガイド部材３０と上のワイヤー固定部品４を取り付け、下枠材の上向き凹部に下ガイド部材３１と下のワイヤー固定部品４を取り付け、縦枠材に縦部材３２を取り付けるようにしても良い。
この場合には、上枠材、下枠材の各凹部における上下ガイド部材を取り付けていない部分に枠カバーを取り付けて上下のワイヤー固定部品を覆うようにする。
【００４６】
前述の説明ではスクリーン部材３４を防虫網として網戸としたが、カーテン、ブラインド、間仕切り等とすることもできる。
【符号の説明】
【００４７】
１…枠体、２…開閉体、３…折畳みスクリーン装置、４…ワイヤー固定部品、５…枠カバー、６…ワイヤー固定機構、６ａ…ワイヤー固定部、７…保持部材、８…被保持部材、１０…上枠、１０ａ…下向き凹部、１１…下枠、１１ａ…上向き凹部、１２…縦枠、３０…上ガイド部材、３０ｃ…溝、３１…下ガイド部材、３１ｃ…溝、３２…縦部材、３３…操作部材、３３ｅ…展開側ワイヤー出口、３４…スクリーン部材、３５…ワイヤー、３５ａ…ワイヤー部分、４２…端面板、４３…本体、５０…表面板、５５…長孔（張力調整用の孔）、６０…可動部材、６１…長孔、６２…ねじ。
【図１】
0005392771.tif 000002
【図２】
0005392771.tif 000003
【図３】
0005392771.tif 000004
【図４】
0005392771.tif 000005
【図５】
0005392771.tif 000006
【図６】
0005392771.tif 000007
【図７】
0005392771.tif 000008
【図８】
0005392771.tif 000009
【図９】
0005392771.tif 000010